【手続補正書】
【提出日】平成17年9月26日(2005.9.26)
【手続補正１】
【補正対象書類名】明細書
【補正対象項目名】特許請求の範囲
【補正方法】変更
【補正の内容】
【特許請求の範囲】
【請求項１】
所定の処理装置を操作するユーザが選択可能な操作手順を階層的に記述した操作手順データベースと、
階層毎にユーザが選択した操作手順を判定する判定手段と、
前記判定手段で判定された前記操作手順の下位階層の操作手順が存在する場合、該下位階層の操作手順に関する音声情報を出力する第１の音声出力手段と、
前記判定手段で判定された前記操作手順の下位階層の操作手順が存在しない場合、最上位階層の操作手順であって前記操作手順の最上位階層の操作手順と異なる操作手順に遷移する遷移手段と、
遷移した最上位階層の操作手順に関する音声情報を出力する第２の音声出力手段と
を備えることを特徴とする情報処理装置。
【請求項２】
ユーザが操作手順を選択した階層において、該階層内の操作手順の再選択をする再選択手段をさらに備えることを特徴とする請求項１記載の情報処理装置。
【請求項３】
所定階層においていずれの操作手順も選択されずに上位階層に遷移する場合、前記所定階層においてデフォルトの操作手順を設定するデフォルト設定手段をさらに備えることを特徴とする請求項１又は２に記載の情報処理装置。
【請求項４】
前記操作手順に関する音声情報の音声出力中に、現在音声情報が出力されている操作手順の直前の操作手順に関する音声情報から再度音声出力する再音声出力手段をさらに備えることを特徴とする請求項１から３までのいずれか１項に記載の情報処理装置。
【請求項５】
前記操作手順に関する音声情報の音声出力中に、該音声情報の音声出力を停止して、音声出力直前の状態に戻す状態遷移手段をさらに備えることを特徴とする請求項１から４までのいずれか１項に記載の情報処理装置。
【請求項６】
前記操作手順に関する音声情報の音声出力中に、上位階層に遷移する指示がされた場合、該音声情報の音声出力を停止して、デフォルトの操作手順を設定して上位階層に遷移すること特徴とする請求項１から５までのいずれか１項に記載の情報処理装置。
【請求項７】
所定の処理装置を操作するユーザが選択可能な操作手順を階層的に記述した操作手順データベースと、
階層毎にユーザが選択可能な操作手順に関する情報を音声出力する音声出力手段と、
前記音声出力手段が音声出力中に、ユーザが選択した操作手順を判定する判定手段と、
前記判定手段で判定された前記操作手順の下位階層の操作手順が存在する場合、該下位階層に遷移する遷移手段と、
所定の階層においてデフォルトの操作手順を設定するデフォルト設定手段と
を備えることを特徴とする情報処理装置。
【請求項８】
最上位階層においてデフォルトの操作手順が選択された場合、前記デフォルト設定手段は、全階層の操作手順をデフォルトの操作手順に設定することを特徴とする請求項７記載の情報処理装置。
【請求項９】
前記操作手順を確定する確定手段をさらに備え、
所定の階層において前記操作手順に関する音声情報を出力しないで操作手順を確定する場合、前記デフォルト設定手段は、前記階層においてデフォルトの操作手順を設定し、
前記遷移手段は、階層を一つ上位の階層に戻す
ことを特徴とする請求項７又は８に記載の情報処理装置。
【請求項１０】
前記音声出力手段が、
所定の階層における操作手順に関する音声情報を出力中に、異なる階層に遷移する指示がされた場合、現在音声出力中の操作手順をスキップして前記異なる階層の操作手順に関する音声情報を音声出力し、
所定の階層における操作手順に関する音声情報を出力中に、前の操作手順に戻る指示がされた場合、現在音声出力中の操作手順の一つ前の操作手順に関する音声情報から再度音声出力する
ことを特徴とする請求項７から９までのいずれか１項に記載の情報処理装置。
【請求項１１】
前記操作手順に関する音声情報が、前記ユーザが選択可能な操作手順名であることを特徴とする請求項１から１０までのいずれか１項に記載の情報処理装置。
【請求項１２】
それぞれが異なる操作手順に対応付けられた、前記ユーザの複数の指に対応した複数のボタンを備えており、該複数のボタンのいずれのボタンがユーザによって押下されたかを受け付ける受付手段をさらに備え、
前記判定手段が、前記受付手段で受け付けられた押下された前記ボタンに対応する操作手順を判定する
ことを特徴とする請求項１から１１までのいずれか１項に記載の情報処理装置。
【請求項１３】
前記複数のボタンが複数の指のそれぞれの位置を一定にして操作可能であることを特徴とする請求項１２記載の情報処理装置。
【請求項１４】
前記複数のボタンが、テンキーの一部に割り当てられていることを特徴とする請求項１２又は１３に記載の情報処理装置。
【請求項１５】
前記所定の処理装置がコピー機であって、前記操作手順が該コピー機におけるユーザが選択可能なコピー操作のための設定機能であることを特徴とする請求項１から１４までのいずれか１項に記載の情報処理装置。
【請求項１６】
所定の処理装置を操作するユーザが選択可能な操作手順を階層的に記述した操作手順データベースに接続可能な情報処理装置における情報処理方法であって、
階層毎にユーザが選択した操作手順を判定する判定工程と、
前記判定工程で判定された前記操作手順の下位階層の操作手順が存在する場合、該下位階層の操作手順に関する音声情報を出力する第１の音声出力工程と、
前記判定工程で判定された前記操作手順の下位階層の操作手順が存在しない場合、最上位階層の操作手順であって前記操作手順の最上位階層の操作手順と異なる操作手順に遷移する遷移工程と、
遷移した最上位階層の操作手順に関する音声情報を出力する第２の音声出力工程と
を有することを特徴とする情報処理方法。
【請求項１７】
前記操作手順に関する音声情報の音声出力中に、該音声情報の音声出力を停止して、音声出力直前の状態に戻す状態遷移工程をさらに有することを特徴とする請求項１６記載の情報処理方法。
【請求項１８】
前記操作手順に関する音声情報の音声出力中に、上位階層に遷移する指示がされた場合、該音声情報の音声出力を停止して、デフォルトの操作手順を設定して上位階層に遷移すること特徴とする請求項１６又は１７に記載の情報処理方法。
【請求項１９】
所定の処理装置を操作するユーザが選択可能な操作手順を階層的に記述した操作手順データベースに接続可能な情報処理装置における情報処理方法であって、
階層毎にユーザが選択可能な操作手順に関する情報を音声出力する音声出力工程と、
前記音声出力手段が音声出力中に、ユーザが選択した操作手順を判定する判定工程と、
前記判定工程で判定された前記操作手順の下位階層の操作手順が存在する場合、該下位階層に遷移する遷移工程と、
所定の階層においてデフォルトの操作手順を設定するデフォルト設定工程と
を有することを特徴とする情報処理方法。
【請求項２０】
前記操作手順を確定する確定工程をさらに有し、
所定の階層において前記操作手順に関する音声情報を出力しないで操作手順を確定する場合、前記デフォルト設定工程は、前記階層においてデフォルトの操作手順を設定し、
前記遷移工程は、階層を一つ上位の階層に戻す
ことを特徴とする請求項１９記載の情報処理方法。
【請求項２１】
前記音声出力工程が、
所定の階層における操作手順に関する音声情報を出力中に、異なる階層に遷移する指示がされた場合、現在音声出力中の操作手順をスキップして前記異なる階層の操作手順に関する音声情報を音声出力し、
所定の階層における操作手順に関する音声情報を出力中に、前の操作手順に戻る指示がされた場合、現在音声出力中の操作手順の一つ前の操作手順に関する音声情報から再度音声出力する
ことを特徴とする請求項１９又は２０に記載の情報処理方法。
【請求項２２】
所定の処理装置を操作するユーザが選択可能な操作手順を階層的に記述した操作手順データベースに接続可能なコンピュータに、
階層毎にユーザが選択した操作手順を判定する判定手順と、
前記判定手順で判定された前記操作手順の下位階層の操作手順が存在する場合、該下位階層の操作手順に関する音声情報を出力する第１の音声出力手順と、
前記判定手順で判定された前記操作手順の下位階層の操作手順が存在しない場合、最上位階層の操作手順であって前記操作手順の最上位階層の操作手順と異なる操作手順に遷移する遷移手順と、
遷移した最上位階層の操作手順に関する音声情報を出力する第２の音声出力手順と
を実行させるためのプログラム。
【請求項２３】
所定の処理装置を操作するユーザが選択可能な操作手順を階層的に記述した操作手順データベースに接続可能なコンピュータに、
階層毎にユーザが選択可能な操作手順に関する情報を音声出力する音声出力手順と、
前記音声出力手段が音声出力中に、ユーザが選択した操作手順を判定する判定手順と、
前記判定工程で判定された前記操作手順の下位階層の操作手順が存在する場合、該下位階層に遷移する遷移手順と、
所定の階層においてデフォルトの操作手順を設定するデフォルト設定手順と
を実行させるためのプログラム。
【請求項２４】
請求項２２又は２３に記載のプログラムを格納したことを特徴とするコンピュータ読み取り可能な記録媒体。
【手続補正２】
【補正対象書類名】明細書
【補正対象項目名】００２０
【補正方法】削除
【補正の内容】